(57)【要約】【課題】鍵穴への塵埃の進入を防止し、解錠のための不正な道具の挿入を阻止できる鍵穴保護装置。【解決手段】鍵穴保護装置１が鍵穴が形成されている板体４の表面４ａに取り付けられる固定プレート部２と、固定プレート部２に対してヒンジ６を介して開閉可能に取り付けられる可動プレート部３とを有する。固定プレート部２には、鍵穴に通じる透孔７が形成され、可動プレート部３は、それが閉じたときにその透孔７を覆って鍵穴を遮蔽することができるように作られる。固定プレート部２と可動プレート部３とは、これら両部２，３のうちの一方に設けられたラッチともう一方に設けられたラッチ進入部３２との解除可能な係合によって施錠状態になる。【選択図】図１
2005200939.tif 000002
【特許請求の範囲】
【請求項１】
板状体の表面に形成された鍵穴をその鍵穴の外側から開閉可能に遮蔽して塵埃の侵入から保護する前記表面に取り付け可能な鍵穴保護装置であって、
前記鍵穴に通じる透孔を有し、前記表面に固定可能な固定プレート部と、前記固定プレート部に対してヒンジを介して旋回可能に取り付けられて開閉し、閉じたときに前記透孔を覆うことによって前記鍵穴を遮蔽して前記鍵穴への鍵の進入と前記塵埃の侵入とを阻止可能な可動プレート部とからなり、
前記固定プレート部と前記可動プレート部とは、これら両部の一方に設けられたラッチ手段がもう一方に設けられたラッチ進入部へ退却可能に進入することによって施錠されるように形成されており、
前記ラッチ手段が並列配置された複数のラッチからなり、複数の前記ラッチそれぞれが個別のばね手段によって互いに独立して前記ラッチ進入部への進入方向へ付勢されていることを特徴とする前記鍵穴保護装置。
【請求項２】
複数の前記ラッチそれぞれが前記固定プレート部に設けられており、進入した前記ラッチ進入部からのそれぞれの退却が前記固定プレート部外側からの個別の操作によって可能である請求項１記載の鍵穴保護装置。
【請求項３】
前記固定プレート部は、閉じた状態にある前記可動プレート部に圧接可能な隆起部を前記透孔の周囲に有し、前記可動プレート部は、前記隆起部と向かい合う部位が弾性材料で形成されている請求項１または２記載の鍵穴保護装置。
【発明の詳細な説明】
【技術分野】
【０００１】
この発明は、壁面や扉等の板状体の表面に形成された鍵穴を塵埃の侵入から保護することができる鍵穴保護装置に関する。
【背景技術】
【０００２】
従来、鍵穴に常態ではその鍵穴を閉じておくことができる遮蔽部材を取り付けてその鍵穴を塵埃等の侵入から保護することは、周知である。例えば、実公昭３８−２２７８５号公報（特許文献１）に記載されたシリンダ錠の防水装置は、鍵穴を遮蔽するためのゴム・シャッタを有している。また、実公昭３５−１４３９２号公報（特許文献２）に記載された鍵穴開通、閉塞用符号器は、常態において鍵穴を遮蔽する複数の円板を回転させることによって、各円板に形成された鍵挿通用の透孔を整列させたときにのみ鍵穴への鍵の挿入が可能になる。
【特許文献１】実公昭３８−２２７８５号公報
【特許文献２】実公昭３５−１４３９２号公報
【発明の開示】
【発明が解決しようとする課題】
【０００３】
特許文献１に記載された装置は、ゴム・シャッタによって塵埃等の侵入を防止できるのであるが、施錠装置を不正に解錠しようとする鍵または道具の挿入を阻止することはできない。また、特許文献２記載された符号器は、鍵穴に対する不正な操作を阻止することはできるが、鍵穴から鍵を抜き取った後に円板を再度回転させて鍵穴を遮蔽しなければならないという手間を要する。
【０００４】
この発明は、施錠装置における鍵穴への塵埃の侵入の防止および不正な道具等の挿入を阻止が可能であって、しかも操作に手間のかからない鍵穴保護装置の提供を課題にしている。
【課題を解決するための手段】
【０００５】
前記課題を解決するためにこの発明が対象とするのは、板状体の表面に形成された鍵穴をその鍵穴の外側から開閉可能に遮蔽して塵埃の侵入から保護する前記表面に取り付け可能な鍵穴保護装置である。
【０００６】
この発明が特徴とするところは、かかる鍵穴保護装置が、前記鍵穴に通じる透孔を有し、前記表面に固定可能な固定プレート部と、前記固定プレート部に対してヒンジを介して旋回可能に取り付けられて開閉し、閉じたときに前記透孔を覆うことによって前記鍵穴を遮蔽して前記鍵穴への鍵の進入と前記塵埃の侵入とを阻止可能な可動プレート部とからなり、前記固定プレート部と前記可動プレート部とは、これら両部の一方に設けられたラッチ手段がもう一方に設けられたラッチ進入部へ退却可能に進入することによって施錠されるように形成されており、前記ラッチ手段が並列配置された複数のラッチからなり、複数の前記ラッチそれぞれが個別のばね手段によって互いに独立して前記ラッチ進入部への進入方向へ付勢されていること、にある。
【０００７】
この発明の実施態様の一つにおいて、複数の前記ラッチそれぞれが前記固定プレート部に設けられており、進入した前記ラッチ進入部からのそれぞれの退却が前記固定プレート部外側からの個別の操作によって可能である。
【０００８】
この発明の実施態様の他の一つにおいて、前記固定プレート部は、閉じた状態にある前記可動プレート部に向かっての隆起部を前記透孔の周囲に有し、前記可動プレート部は、前記隆起部と向かい合う部位が弾性材料で形成されている。
【発明の効果】
【０００９】
請求項１に係る発明によれば、鍵穴保護装置が固定プレート部と可動プレート部とからなり、これら両部はラッチがラッチ進入部へ進入することによって施錠状態となるから、鍵穴は、可動プレート部によって遮蔽されることで、塵埃の進入から保護されるばかりでなく、施錠状態にある可動プレート部を解錠状態にして開かなければ鍵を挿入することができない。開いた可動プレート部は、それを旋回させるだけで閉じることができる。この発明に係るかような鍵穴保護装置は、鍵穴への塵埃の侵入を防止できるとともに不正な解錠用の道具の挿入を阻止することができるばかりでなく、固定プレート部と可動プレート部とを施錠状態にするのに手間がかからない。
【００１０】
請求項２に係る発明によれば、可動プレート部を解錠するための操作が固定プレート部の外側から可能になる。
【００１１】
請求項３に係る発明によれば、可動プレート部が固定プレート部に対して閉じた状態にあるときに、固定プレート部の透孔周囲の隆起部と可動プレート部の弾性材料で形成された部位とが圧接するから、鍵穴は塵埃の侵入のみならず雨滴の浸入からも保護される。
【発明を実施するための最良の形態】
【００１２】
添付の図面を参照して、この発明に係る鍵穴保護装置の詳細を説明すると、以下のとおりである。
【００１３】
図１は、鍵穴保護装置１の使用状態を示す図である。装置１は、固定プレート部２と可動プレート部３とを有するもので、固定プレート部２がクッションパッドとしてのゴムシート６９を介して板状の扉４の表面４ａにねじ８によって固定され、可動プレート部３がヒンジ６を介して固定プレート部２に対して開閉可能に取り付けられ、図では、その可動プレート部３が開いた状態にあり、矢印Ａ方向へ旋回させて閉じることができる。固定プレート部２には透孔７が形成され、透孔７が扉４に取り付けられたラッチ錠７１（図６参照）の鍵穴１１（図２参照）に通じている。ラッチ錠７１を施錠・解錠するための鍵（図示せず）を透孔７から扉４の表面４ａに形成された鍵穴１１へ挿入することによって、固定枠５に対して施錠された扉４を開けることができる。
【００１４】
図２，３，４は、図１の状態にある装置１の平面図と、図２におけるＩＩＩ−ＩＩＩ線およびＩＶ−ＩＶ線矢視図である。固定プレート部２は、頂面部２ａと底面部２ｂと周壁部２ｃとを有し、頂面部２ａでは、仮想線で示す鍵穴１１に通じる透孔７の左右にねじ８を挿通するための孔９が形成され、これら透孔７と孔９との周囲には隆起部１２が形成され、下方部分には矩形の開口１３が形成されている。開口１３の内側には、例えば図示例の第１ラッチ１５と第２ラッチ１６とからなる複数のラッチを有するラッチ手段が進出している。第１、第２ラッチ１５，１６は、それぞれが図の下方に向かって第１ばね手段４３と第２ばね手段４４とによって個別に付勢されており（図５参照）、その付勢に抗してそれぞれが個別に開口１３から退却するように図の上方へ移動可能である。図２の上下方向における隆起部１２と開口１３との間には、左右一対の円形凹部２３が形成されている。固定プレート部２の両側部それぞれは、可動プレート部３を開くときに指先が当たるのを避けるための湾曲部１９を有する。かような固定プレート部２は、図３に示されているように高さＨの周壁部２ｃに第１、第２ラッチ１５，１６それぞれを図２の上方へ移動させることが可能な第１、第２押ボタン部２１，２２を有する。
【００１５】
可動プレート部３は、図２において、その外形が固定プレート部２の外形とほぼ同じに形成され、図１，３に示された矢印Ａ方向へ旋回して閉じたときに固定プレート部２の頂面２ａと向かい合う内面３ａと、内面３ａの反対面である外面３ｂとを有する。内面３ａには、円の一部分を切り欠いた形の弾性変形部３１と、ラッチ進入部３２と、左右一対の円柱突起３３とが形成されている。弾性変形部３１は、内面３ａに天然ゴムやプラスチックエラストマー等からなるシート状の弾性材料を貼り付けることにより形成されており、可動プレート部２が閉じると、固定プレート部２の隆起部１２に圧接し、透孔７の周囲を水密状態で閉じることができる。ラッチ進入部３２には、第１、第２ラッチ１５，１６のそれぞれが個別に進入・退却可能な貫通孔３４が形成されている（図１，６参照）。円柱状突起３３のそれぞれは、可動プレート部３が閉じたときに、固定プレート部２に形成されている一対の凹部２３のそれぞれに進入する。
【００１６】
図５は、図２において鎖線Ｂで囲まれている固定プレート部２の下端部分の内部構造を示す図である。固定プレート部２には、固定プレート部２の幅を二等分する中心線Ｃに関して対称を成すスライド駒案内室４０が形成されている。その案内室４０には、中心線Ｃに関して対称な第１スライド駒４１と第２スライド駒４２とが収納され、これら第１、第２スライド駒４１，４２のそれぞれが例えば図示のコイルスプリングからなる第１ばね手段４３と第２ばね手段４４とによって図の下方に向かって個別に付勢されている。案内室４０は、中心線Ｃ上に位置する仕切り壁４６（図４を併せて参照）を介して左右に並ぶように固定プレート部２の周壁部２ｃに形成されている第１、第２開口４７，４８と、中心線Ｃに平行する第１、第２スライド壁５１，５２とを有する。第１、第２スライド駒４１，４２は、中心線Ｃに沿って互いにスライド可能な第１、第２スライド部５３，５４と、第１、第２スライド壁５１，５２に対して中心線Ｃと平行にスライド可能な第３、第４スライド部５７，５８とを有する。第１、第２スライド部５３，５４には、第１、第２ラッチ１５，１６が形成されており、第３、第４スライド部５７，５８には、第１、第２開口４７，４８に納まる第１、第２押ボタン部２１，２２が形成されている。第１、第２ばね手段４３，４４に押圧された第１、第２スライド駒４１，４２では、第１、第２ラッチ１５，１６が固定プレート部２の開口１３に進出し（図２参照）、第１、第２押ボタン部２１，２２の下端面が固定プレート部２の第１、第２開口２１，２２において周壁部２ｃとほぼ同一の面を形成している。
【００１７】
図６は、図２のＶＩ−ＶＩ線に沿った切断面を示す図であるが、可動プレート部３が固定プレート部２に対して閉じた状態にあり、扉４と扉４に取り付けられたラッチ錠７１とが仮想線で示されている。可動プレート部３は、それが矢印Ａ方向へ旋回して閉じるときにラッチ進入部３２が図５の状態にある第１、第２ラッチ１５，１６の斜面部分１５ａ，１６ａ（図２参照）を押圧して、これら第１、第２ラッチ１５，１６を第１、第２ばね手段４３，４４の付勢に抗して開口１３から退却させる。可動プレート部３が完全に閉じると、開口１３に納まるラッチ進入部３２の貫通孔３４に第１、第２ラッチ１５，１６が第１、第２ばね手段４３，４４の付勢作用によって自動的に進入し、これら第１、第２ラッチ１５，１６とラッチ進入部３２との係合によって固定プレート部２と可動プレート部３とが施錠状態になり、固定プレート部２の隆起部１２と可動プレート部３の弾性変形部３１とが圧接状態に維持される。可動プレート部３が閉じるときにはまた、一対の円柱状突起３３のそれぞれが固定プレート部２の一対の凹部２３のそれぞれに進入する。凹部２３には、ばね６１と、ばね６１によって付勢された板状チップ６２とが組み込まれており、凹部２３に進入した突起３３が板状チップ６２を介してばね６１を蓄勢させることによって、可動プレート部３が開く方向へ付勢されている。
【００１８】
可動プレート３がかような状態で閉じた装置１では、その可動プレート部３を開かなければ、鍵穴１１に鍵（図示せず）を挿入することができない。閉じた可動プレート部３は、図５において、仮想線で示された鍵６６の二股の先端部６７を第１、第２スライド駒４１，４２における第１、第２押ボタン部２１，２２のそれぞれに押し当てると、案内室４０の内側で第１、第２スライド駒４１，４２が同時に図の上方に向かってスライドし、第１、第２ラッチ１５，１６が可動プレート部３のラッチ進入部３２から退却して、これら第１、第２ラッチ１５，１６とラッチ進入部３２との係合が解除され、固定プレート部２と可動プレート部３とが解錠状態になる。それと同時に、円柱状突起３３がばね６１に押圧されている可動プレート部３は、矢印Ａ方向とは反対の方向に僅かに旋回して、固定プレート部２との間にすき間を作り、可動プレート部３が指先で摘み易くなる。第１、第２ラッチ１５，１６は、個別にスライドするものであるから、可動プレート部３を開くときには、これら第１、第２ラッチ１５，１６をラッチ進入部３２から一緒に退却させることが必要で、第１、第２ラッチ１５，１６の一方のみを退却させても可動プレート部３を開くことはできない。可動プレート部３は、それと固定プレート部２との間に組み込まれたコイルばね７６とボール７７との作用によって、約１８０°旋回可能である範囲のうちの任意の角度で停止させることができる。
【００１９】
図６において扉４の内側に取り付けられているラッチ錠７１は、鍵穴保護装置１の使用対象になるものの一例であって、鍵穴１１が形成されている回動部材７２を鍵穴１１に挿入した鍵（図示せず）によって回動させると、ラッチ部材７３が図１に示された固定枠５における所定の部位に対して進入・退却する。ラッチ部材７３のかかる進入・退却によって、扉４が固定枠５に対して施錠または解錠される。
【００２０】
この発明では、図示例の第１、第２ラッチ１５，１６を固定プレート部２ではなくて可動プレート部３に設け、ラッチ進入部３２を可動プレート部３ではなくて固定プレート部２に設けることもできる。また、第１、第２ラッチ１５，１６からなる図示例のラッチ手段は、ラッチの個数をさらに多くすることもできる。
【産業上の利用可能性】
【００２１】
この発明によれば、鍵穴への塵埃の侵入を防止すると同時に、不正な道具の挿入を阻止可能で操作が容易な鍵穴保護装置を作ることができる。
【図面の簡単な説明】
【００２２】
【図１】使用状態にある鍵穴保護装置の斜視図。
【図２】鍵穴保護装置の平面図。
【図３】図２のＩＩＩ−ＩＩＩ線矢視図。
【図４】図２のＩＶ−ＩＶ線矢視図。
【図５】図２の部分破断図。
【図６】図２のＶＩ−ＶＩ線矢視図。
【符号の説明】
【００２３】
１    鍵穴保護装置
２    固定プレート部
３    可動プレート部
４    板体（扉）
４ａ    表面
６    ヒンジ
７    透孔
１１    鍵穴
１２    隆起部
１５    ラッチ
１６    ラッチ
３１    弾性材料（弾性変形部）
３２    ラッチ進入部
４３    ばね手段
４４    ばね手段
【図１】
2005200939.tif 000003
【図２】
2005200939.tif 000004
【図３】
2005200939.tif 000005
【図４】
2005200939.tif 000006
【図５】
2005200939.tif 000007
【図６】
2005200939.tif 000008